(57)【要約】【課題】  遊技機の背面側のスペースを有効に利用可能、かつ、遊技球が散乱しない遊技機の提供を課題とする。【解決手段】  本発明によれば、遊技球の放出方向を背面側に向かう方向とし、パチンコ遊技機１０の本体部に向かって遊技球を衝突させることにより、パチンコ遊技機１０の前面側に位置する遊技者から離反する方向に遊技球が放出されるため、遊技者は安全に遊技を行うことができる。また、真っ直ぐ遊技球を背面側に放出することにより、上皿１４の側方に遊技球がこぼれ落ちることもない。さらに、パチンコ遊技機１０の本体部は広大な壁面を構成するため、上皿放出部３４ａから放出された遊技球をパチンコ遊技機１０の本体部と確実に衝突させ、遊技球の勢いを弱めることができる。【選択図】  図７
2006110251.tif 000002
【特許請求の範囲】
【請求項１】
本体部の上部に外部装置から遊技球が供給される供給部を備える遊技機において、
上記本体部の前面側に突出するように形成され、上記供給部から遊技球が案内される通路の少なくとも一部を構成する前面通路と、
上記前面通路を流通する遊技球を上記本体部に向かって放出し、同本体部に衝突させる放出部とを具備することを特徴とする遊技機。
【発明の詳細な説明】
【技術分野】
【０００１】
本発明は、上部に外部装置から遊技球が供給される供給部を備える遊技機に関する。
【背景技術】
【０００２】
従来、この種の遊技機として、遊技機の背面側に遊技球の払い出し通路を形成したものが知られている。（例えば、特許文献１、図２、参照。）。
かかる構成によれば、払い出し通路中に払い出し装置が備えられるため、タンクに貯留された遊技球のうち指定された数量だけを払い出すことが可能であった。払い出された遊技球は前面側に案内されて、遊技に使用される。
【特許文献１】特開２００４−０７３７１９号公報
【発明の開示】
【発明が解決しようとする課題】
【０００３】
上述した従来の遊技機において、払い出し通路を遊技機の背面側に備えることにより、遊技機の背面側における各基板等の設置スペースが限定されるという課題があった。この課題に対して、払い出し通路を本体部の前面側に配置することにより背面側における各基板等の設置スペースを確保することも提案されたが、遊技球を上方から下方に流下させる払い出し通路における遊技球の速度は早く、通路から放出された遊技球が勢いあまって散乱するという問題があった。
本発明は、上記課題にかんがみてなされたもので、遊技機の背面側のスペースを有効に利用可能、かつ、遊技球が散乱しない遊技機の提供を目的とする。
【課題を解決するための手段】
【０００４】
上記目的を達成するため、請求項１にかかる発明では、本体部の上部に外部装置から遊技球が供給される供給部を備える遊技機において、
上記本体部の前面側に突出するように形成され、上記供給部から遊技球が案内される通路の少なくとも一部を構成する前面通路と、上記前面通路を流通する遊技球を上記本体部に向かって放出し、同本体部に衝突させる放出部とを具備する構成としてある。
【０００５】
上記のように構成した請求項１の発明において、供給部が遊技機における本体部の上部に備えられ、同供給部に対して外部装置から遊技球が供給される。上記供給部から遊技球が案内される通路の少なくとも一部を構成する前面通路は、上記遊技機の前面側に形成される。これにより、上記本体部の背面側のスペースを確保することが可能となる。放出部は上記前面通路を流通する遊技球を上記本体部に向かって放出する。上記放出部から放出された遊技球は上記本体部に衝突させられる。上記本体部に衝突させることにより、上記前面通路を流通した遊技球の勢いを確実に停止させることができる。
本発明は、上記の構成に限られるものではなく、以下の手段も含むものである。
【０００６】
手段１
手段１にかかる発明は、請求項１に記載した発明において、上記放出部において遊技球は背面側に向かって放出される構成としてある。
すなわち、上記前面通路は上記本体部の前面側に突設される。従って、上記本体部の前面側の上記前面通路から上記本体部に向かって放出される遊技球の進行方向は背面側に向かう方向となる。
【０００７】
手段２
手段２にかかる発明は、請求項１または手段１のいずれかに記載した発明において、上記本体部において遊技球が衝突する部位には緩衝機構を有する衝突部が備えられる構成としてある。
すなわち、上記本体部において遊技球が衝突する部位に衝突部を形成するとともに、同衝突部には緩衝機構が備えられる。これにより、上記本体部において遊技球が衝突する部位が遊技球の衝突によって破損することを防止することができる。
【０００８】
手段３
手段３にかかる発明は、手段２に記載した発明において、上記衝突部は上記本体部に対して着脱可能に備えられる構成としてある。
すなわち、上記衝突部を上記本体部に対して着脱可能とすることにより、同衝突部を容易に交換することができる。上記衝突部は遊技球が多数衝突することから破損しやすく、汚れやすいが、交換することにより、正常かつ清潔な状態を保つことができる。
【０００９】
手段４
手段４にかかる発明は、手段２または手段３のいずれかに記載した発明において、上記衝突部は上記本体部から前面側に向かって皿状に突設された上皿に備えられる構成としてある。
すなわち、上記本体部から前面側に向かって皿状の上皿を突設するとともに、同上皿に上記衝突部を形成する。このようにすることにより、上記衝突部に衝突した遊技球を上記上皿にて捕捉し、同上皿にて貯留することができる。
【００１０】
手段５
手段５にかかる発明は、手段２から手段４のいずれかに記載した発明において、上記衝突部は上記本体部における上記上皿よりも下方部位から前面側に向かって皿状に突設された下皿に備えられる構成としてある。
すなわち、上記衝突部を下皿に形成してもよい。これにより、上記衝突部に衝突した遊技球を上記下皿にて捕捉し、同下皿にて貯留することができる。
【００１１】
手段６
手段６にかかる発明は、請求項１、または、手段１から手段４のいずれかに記載した発明において、上記前面通路には遊技球の速度を低下させる速度低減機構が備えられる構成としてある。
すなわち、上記前面通路に遊技球の速度を低下させる速度低減機構を設けることにより、上記放出部にて放出される遊技球の勢いを抑えることができる。従って、上記放出部から放出された遊技球が例えば上記上皿や上記下皿からこぼれ落ちることが防止できる。
【００１２】
手段７
手段７にかかる発明は、手段６に記載した発明において、上記緩衝機構は衝撃吸収素材によって構成される。
すなわち、上記緩衝機構に衝撃吸収素材を適用することにより、同衝突部が受ける遊技球の衝撃を緩和することができる。例えば、スポンジのように気孔を有する素材を適用することにより、衝撃を緩和することができる。
【００１３】
手段８
手段８にかかる発明は、手段６または手段７のいずれかに記載した発明において、上記緩衝機構は遊技球を複数回反射させる反射構造を有する構成としてある。
すなわち、反射構造によって遊技球を複数回反射させることにより、遊技球の勢いを減衰させることができる。
【００１４】
手段９
手段９にかかる発明は、手段８に記載した発明において、上記反射構造は遊技球が侵入可能な溝である構成としてある。
すなわち、溝の内部に遊技球を侵入させることにより、遊技球を同溝の壁面にて複数回反射させることができる。従って、遊技球の勢いを減衰させることができる。
【００１５】
手段１０
手段１０にかかる発明は、手段１から手段９のいずれかに記載した発明において、上記放出部から放出される遊技球の角度が調整可能とされる構成としてある。
すなわち、上記放出部から放出される遊技球の角度を調整可能とすることにより、遊技球を上記上皿や上記下皿等からこぼれにくい方向に放出させたり、確実に上記緩衝機構に遊技球を衝突させることができる。
【００１６】
手段１１
手段１１にかかる発明は、手段１から手段１０のいずれかに記載した発明において、上記放出部から放出される遊技球の角度が経時的に変動する構成としてある。
すなわち、上記放出部から放出される遊技球の角度を経時的に変動させることにより、時間毎に異なる位置に遊技球を放出することができ、一部に遊技球が滞留することが防止できる。
【００１７】
手段１２
手段１２にかかる発明は、手段２から手段１１のいずれかに記載した発明において、上記上皿に備えられる上記衝突部は同上皿に貯留される遊技球の満杯の高さよりも高い位置に備えられる構成としてある。
すなわち、上記衝突部を上記上皿に貯留される遊技球の満杯の高さよりも高い位置に形成することにより、貯留された遊技球が同衝突部の周りに滞留することが防止できる。従って、同滞留した遊技球に阻まれることなく上記衝突部に遊技球を衝突させることができる。
【００１８】
手段１３
手段１３にかかる発明は、手段２から手段１２のいずれかに記載した発明において、上記衝突部の角度が調整可能とされる構成としてある。
すなわち、上記衝突部の角度を調整可能とすることにより、同衝突部にて反射した遊技球を上記上皿や上記下皿等からこぼれにくい方向に進行させることができる。
【００１９】
手段１４
手段１４にかかる発明は、手段２から手段１３のいずれかに記載した発明において、上記衝突部の角度が経時的に変動する構成としてある。
すなわち、上記衝突部の角度を経時的に変動させることにより、同衝突部にて時間毎に異なる方向に遊技球を反射させることができ、一部に遊技球が滞留することが防止できる。
【００２０】
手段１５
手段１５にかかる発明は、手段２から手段１４のいずれかに記載した発明において、上記衝突部には遊技球の衝突に応じて導通状態の切換が可能な衝撃スイッチが備えられる。
すなわち、上記衝突部に衝撃スイッチを設けることにより、同衝突部に対する遊技球の衝突に応じて動作可能な電装部材を配設することが可能となる。
【００２１】
手段１６
手段１６にかかる発明は、手段１５に記載した発明において、上記衝撃スイッチによって発光状態が変化する照明が備えられる構成としてある。
すなわち、上記衝突部に対する遊技球の衝突に応じて、照明を発光させることができる。例えば、上記衝突部に遊技球が衝突するたびに上記照明を発光させれば、発光間隔によって遊技球の放出量を把握することができる。
【００２２】
手段１７
手段１７にかかる発明は、手段１５に記載した発明において、上記衝撃スイッチによって音を発生させる音声装置が備えられる構成としてある。
すなわち、上記衝突部に対する遊技球の衝突に応じて、音声装置にて音声を発することができる。上記照明と同様に、音声が発生される間隔によって遊技球の放出量を把握することができる。
【００２３】
手段１８
手段１８にかかる発明は、手段１５に記載した発明において、上記衝撃スイッチの状態に応じて計数を行うカウンタが備えられる構成としてある。
すなわち、上記衝突部に対する遊技球の衝突回数をカウンタにて計数することができる。例えば、上記カウンタにおける計数を表示することにより、上記放出部から放出された遊技球の数量を把握することができる。
【００２４】
手段１９
手段１９にかかる発明は、手段１から手段１８のいずれかに記載した発明において、上記前面通路に球貸し機の遊技球排出口が接続する構成としてある。
すなわち、上記前面通路に球貸し機の遊技球排出口を接続しておくことにより、上記球貸し機にて排出された遊技球を直接遊技に使用することができる。
【００２５】
手段２０
手段２０にかかる発明は、手段４から手段１９のいずれかに記載した発明において、遊技球が放出される上記上皿または上記下皿は、背面側に凹みを形成することにより同背面側に深く形成される構成としてある。
すなわち、遊技球が放出される上記上皿または上記下皿を背面側に深く形成することにより、背面側に向かって放出された遊技球が上記上皿または上記下皿からこぼれ落ちないようにすることができる。
【００２６】
手段２１
手段２１にかかる発明は、請求項１、または、手段１から手段２０のいずれかに記載した発明において、上記遊技機は遊技球を遊技媒体とするとともに、上記遊技領域にてドラムが回転させられるパチロットある構成としてある。
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、遊技球の払い出しが行われるため、本発明を適用することができる。
【発明の効果】
【００２７】
以上説明したように、請求項１にかかる発明によれば、遊技機の背面側のスペースを有効に利用可能、かつ、遊技球が散乱しない遊技機を提供することができる。
手段１にかかる発明によれば、遊技球が側方等に散乱することが防止できる。
手段２にかかる発明によれば、本体部の破損が防止できる。
手段３にかかる発明によれば、正常な衝突部に交換することができる。
【００２８】
手段４にかかる発明によれば、放出した遊技球を上皿にて捕捉することができる。
手段５にかかる発明によれば、放出した遊技球を下皿にて捕捉することができる。
手段６にかかる発明によれば、遊技球の勢いを弱めることができる。
手段７にかかる発明によれば、簡易な構成で衝撃を緩和することができる。。
【００２９】
手段８にかかる発明によれば、遊技球の勢いを弱めることができる。
手段９にかかる発明によれば、簡易な構成で遊技球の勢いを弱めることができる。
手段１０にかかる発明によれば、確実に衝突部に遊技球を衝突させることができる。
手段１１にかかる発明によれば、一箇所に遊技球が滞留することが防止できる。
【００３０】
手段１２にかかる発明によれば、確実に衝突部に遊技球を衝突させることができる。
手段１３にかかる発明によれば、遊技球が上皿や下皿からこぼれ落ちないようにすることができる。
手段１４にかかる発明によれば、一箇所に遊技球が滞留することが防止できる。
手段１５にかかる発明によれば、前面通路における遊技球の流通に電装部材を連動させることができる。
手段１６にかかる発明によれば、前面通路における遊技球の流通に連動した照明を行うことができる。
【００３１】
手段１７にかかる発明によれば、前面通路における遊技球の流通に連動した音響効果を実現することができる。
手段１８にかかる発明によれば、前面通路における遊技球の流通量を認識することができる。
手段１９にかかる発明によれば、貸し出された遊技球を上皿等に放出することができる。
手段２０にかかる発明によれば、遊技球を確実に捕集することができる。
手段２１にかかる発明によれば、パチロットの背面側のスペースを有効に利用するとともに、遊技球が散乱させないようにすることができる。
【発明を実施するための最良の形態】
【００３２】
ここでは、下記の順序に従って本発明の実施形態について説明する。
（１）第一の実施形態：
（２）第二の実施形態：
（３）第三の実施形態：
（４）第四の実施形態：
（５）第五の実施形態：
（６）まとめ：
【００３３】
（１）第一の実施形態：
図１は、本発明の第一の実施形態にかかるパチンコ遊技機を斜めから見て示している。同図において、パチンコ遊技機１０は木材で矩形枠状に形成された外枠１１を有しており、同外枠１１をホール等に固定することにより正立した状態で設置される。外枠１１の内側には合成樹脂等で形成された矩形枠状の本体枠１２が嵌め込まれている。本体枠１２の前面側には、同本体枠１２と回動可能な窓枠および透明板保持枠としてのガラス枠１３が枢支されている。ガラス枠１３は中央部に窓穴１３ｄを有しており、同開口からガラス１３ａが露出するように保持されている。
【００３４】
ガラス１３ａは透視可能であり、ガラス１３ａの内側を視認することが可能となっている。本体枠１２は矩形開口を有しており、同矩形開口にて矩形板状の遊技盤２４が保持されている。そして、前面側からガラス１３ａを透視することにより、その内側に保持された遊技盤２４の様子を視認することが可能となっている。遊技盤２４の前面には略円環状の遊技レールが立設されており、同遊技レールおよびガラス枠１３に囲まれた遊技領域２５にて遊技球を流通させて遊技を行う。
【００３５】
ガラス枠１３における窓穴１３ｄを囲む部分を前方に隆起させることにより略円環畝状の装飾部１３ｅを設けている。装飾部１３ｅは彩色により模様が形成されるとともに、内部に照明部材が埋設される。このようにすることにより、装飾部１３ｅによって遊技領域２５を装飾することができる。ガラス枠１３の下方には上皿１４が前面側に向かって突設されており、さらにその下方には下皿１５が前面側に向かって突設されている。上皿１４および下皿１５は所定の深みを有する皿状に形成されているため、遊技球を貯留しておくことができる。なお、本体枠１２と外枠１１と遊技盤２４とが本発明にいう本体部を構成する。
【００３６】
下皿１５の側方には半球状の発射ハンドル１６が回動可能に突設されており、同発射ハンドル１６の回動量に応じて遊技球の発射を行うことが可能となっている。発射ハンドル１６が備えられた部位の内部には発射機構１６ａが備えられている。発射機構１６ａは、遊技領域まで遊技球を案内するレールと、発射ハンドル１６の回動量に応じて動作する発射槌を有している。また、上皿１４と発射機構１６ａとは図示しない通路により連通しており、上皿１４に貯留された遊技球を発射槌に供給することが可能となっている。そして、供給された遊技球を発射槌が弾くことにより、遊技球が付勢され、遊技領域に発射される。
【００３７】
パチンコ遊技機１０の前面側には長い略円筒状の前面通路３０が備えられており、同前面通路３０を経由して上皿１４および下皿１５に遊技球が供給される。前面通路３０の上方部分は、略前後方向に配向する延設部３１によって構成されており、同延設部３１がガラス枠１３から略前方に延設されている。延設部３１は前方が低くなるように傾斜させられており、同延設部３１の前方端部から鉛直下方に向かって直線状の落下部３２が延設されている。
【００３８】
図２は、パチンコ遊技機１０を側方から見て示している。同図において、ガラス枠１３よりも延設部３１の長さの分だけ落下部３２が前面側に配置されている。すなわち、前面通路３０は延設部３１の長さの分だけ前面側に突出している。このようにすることにより、前面側にて遊技を行う遊技者に前面通路３０を目立たせることができる。従って、前面通路３０に模様等を形成することにより、パチンコ遊技機１０の趣向性を向上させることができる。また、前面通路３０とガラス枠１３とが前後に離間した配置となるため、両者の間に略矩形状の隙間Ｓを形成することができる。なお、前面通路３０の詳細については後述する。
【００３９】
図３は、パチンコ遊技機１０を背面側から見て示している。同図において、パチンコ遊技機１０の背面側には略板状の機構板１７が枢支されており、本体枠１２に保持されている遊技盤２４は同機構板１７によって背面側から覆われている。機構板１７には保護カバー２２が取り付けられており、同保護カバー２２に背面側から覆われるように液晶ユニット２１や制御ボックス２３が配設されている。液晶ユニット２１は遊技領域の中央部に表示面を露出させる液晶パネルを駆動するための装置であり、遊技盤２４を貫通するように取り付けられている。制御ボックス２３はパチンコ遊技機１０の主要な動作を制御する制御基板を収容する基板ボックスであり、内部の制御基板を強固に封止している。
【００４０】
パチンコ遊技機１０の背面側の上部には遊技球が貯留可能なタンク１８が備えられている、タンク１８は幅方向に長い皿状に形成されており、上方に開口している。タンク１８は本発明にいう供給部に相当し、同タンク１８はホール等に設置される遊技球供給装置から遊技球の供給を受ける。タンク１８を遊技機における上方部分に備えておくことにより、遊技球が重力に引かれて流下する勢いを利用して、遊技球を流通させることができる。タンク１８の底面は紙面右方が低くなるように形成されており、タンク１８内を流下する遊技球は紙面右方向に流通する。
【００４１】
タンク１８の底面の紙面右方端部には穴が形成されており、同穴からタンクレール１８ａに遊技球が落下する。タンクレール１８ａは紙面右側が低くなるように傾斜しており、タンクレール１８ａに落下した遊技球は紙面右側に流下する。さらに、タンクレール１８ａの紙面右側端部の下方に備えられた払い出し装置１９に遊技球が落下する。払い出し装置１９は遊技球の直径程度の内径を有する通路１９ａを有しており、同通路１９ａの側方にて略五角形の回転体１９ｂが備えられ、同回転体１９ｂの一部が同通路１９ａの内部に突出している。そして、回転体１９ｂが１／５回転する毎に遊技球を一球下方に送り出すことが可能となっている。すなわち、回転体１９ｂの回転量に応じて払い出される遊技球の数量が制御されている。なお、回転体１９ｂの回転量は、制御ボックス２３に収容された制御基板等に備えられたＣＰＵ等の演算結果に応じて制御されている。
【００４２】
例えば、大当たりが出た場合等には回転体１９ｂを高速に回転させるようにＣＰＵ等が指令する。逆に、賞球がない場合には、回転体１９ｂを停止させるようにＣＰＵ等が指令する。通路１９ａは払い出し装置１９の下方に備えられたガイド部材２０の内部に連通しており、払い出し装置１９にて払い出された遊技球はガイド部材２０の内部に落下する。
【００４３】
図４は、遊技球の通路を模式的に示している。同図において、ガイド部材２０は内部に略Ｌ字状の通路２０ａを有しており、通路２０ａの底面は前方になるほど低くなるように傾斜している。通路２０ａの前方端部は開口しており、底面を伝って流下する遊技球を前方に排出することが可能となっている。また、通路２０ａの前方端部の開口は、機構板１７を前後に貫通するように形成された機構板通路１７ａの後端と接続されている。従って、ガイド部材２０から排出された遊技球は、機構板通路１７ａに導入される。機構板通路１７ａの底面も前方になるほど低くなるように傾斜しているため、機構板通路１７ａに導入された遊技球はさらに前方に流下する。
【００４４】
機構板１７は本体枠１２に対して回動可能に枢支されているが、機構板１７と本体枠１２とが平行となるように機構板１７を回動させることにより、機構板１７と本体枠１２とが略密着する。このとき、機構板通路１７ａの前端も本体枠１２に背面側から接触し、同本体枠１２を前後に貫通するように形成された本体枠通路１２ａの後端と接続する。このようにすることにより、機構板通路１７ａを流下した遊技球を本体枠通路１２ａに案内することができる。本体枠通路１２ａの底面も前方になるほど低くなるように傾斜しているため、本体枠通路１２ａに導入された遊技球はさらに本体枠通路１２ａを前方に流下する。
【００４５】
一方、本体枠１２の前面側に備えられるガラス枠１３には、同ガラス枠１３を前後に貫通するガラス枠通路１３ｂが穿設されている。ガラス枠１３は本体枠１２に対して回動可能に枢支されているが、本体枠１２に背面側を略密着させ遊技領域２５を前面側から閉鎖するようにガラス枠１３を回動させたときには、ガラス枠１３と本体枠１２に保持された遊技盤２４とを平行に略密着させることができる。このとき、本体枠通路１２ａの前端と、ガラス枠通路１３ｂの後端とが接続する。ガラス枠通路１３ｂの底面も前方になるほど低くなるように傾斜しているため、ガラス枠通路１３ｂに導入された遊技球はさらに前方に流下する。
【００４６】
ガラス枠１３の前面側には前面通路３０の延設部３１がガラス枠通路１３ｂの前方開口を取り囲むように取り付けられている。延設部３１は中空状となっているため、ガラス枠通路１３ｂを流下た遊技球は延設部３１の内部を流下する。さらに、延設部３１も前方になるほど低くなるように傾斜しているため、延設部３１に案内された遊技球は前方に流下し、落下部３２に到達する。落下部３２に到達した遊技球は下方に向かって自由落下することとなる。
【００４７】
このようにパチンコ遊技機１０を構成する各部材の前後を貫通する機構板通路１７ａと本体枠通路１２ａとガラス枠通路１３ｂを形成し、これらを前後に接続することにより、パチンコ遊技機１０を前後に貫通する連絡通路Ａを形成することができる。この連絡通路Ａによれば遊技球を背面側から前面側に流通させることができるため、払い出し装置１９から払い出された遊技球を前面側に供給することができる。落下部３２を流下した遊技球は上皿通路３４および下皿通路３５を利用して上皿１４または下皿１５に供給される。
【００４８】
図５はパチンコ遊技機１０を前面側から見て示している。同図において、ガラス枠１３の略中央部に遊技領域２５が形成され、同遊技領域２５の外側を囲むように装飾部１３ｅが形成されている。そして、遊技領域２５および装飾部１３ｅおよび上皿１４の左端部分が前面通路３０と前後に重なっている。すなわち、遊技領域２５と装飾部１３ｅと上皿１４の左端部分が前面通路３０と前後に対向している。しかし、前面通路３０はガラス枠１３よりも前方に離れて形成されているため、ガラス枠１３において遊技領域２５と装飾部１３ｅと上皿１４を前面通路３０に制限されることなく形成することができる。すなわち、前面通路３０と遊技領域２５、装飾部１３ｅ、上皿１４は前後方向に位置が異なっているため、これらを干渉させることなく形成することができる。従って、遊技領域２５を前面通路３０に依存することなく広く形成することができる。さらに、図１に示すように前面通路３０と遊技領域２５、装飾部１３ｅとの間には隙間Ｓが形成されているため、遊技領域２５の正面に位置する遊技者は前面通路３０に阻害されることなく遊技領域２５および装飾部１３ｅを視認することができる。
【００４９】
図６は、上皿通路３４の断面を見て示している。同図において、上皿通路３４は前面通路３０の落下部３２から上皿１４に向かって突設されている。落下部３２は上皿１４よりも前面側に位置しているため、上皿通路３４は軸方向を前後に配向させている。上皿通路３４は背面側になるほど高さが低くなるように形成されているため、上皿通路３４内部の遊技球は背面側に向かって進行することとなる。上皿通路３４の先端を開口させることにより上皿放出部３４ａが形成されている。上皿１４の壁面には穴１４ｂが形成されており、同穴１４ｂの下方には外側に向かって略板状の位置決め板１４ａが突設されている。遊技領域２５がガラス枠１３によって略閉鎖されるようにガラス枠１３を回動させたとき、上皿放出部３４ａと穴１４ｂとが対向し、位置決め板１４ａ上に上皿通路３４が到来し位置決めされる。
【００５０】
上皿通路３４の底面を落下部３２の内部に延設することにより、略板状の案内翼３４ｃが設けられている。案内翼３４ｃは落下部３２の外側に近づくにつれて低くなるように傾斜しており、案内翼３４ｃ上の遊技球は上皿通路３４に向かって流下する。落下部３２の内部における案内翼３４ｃの上方には、略板状のガイド翼３７が内側に向かって突設されている。ガイド翼３７は案内翼３４ｃの上方にて終端しており、先端になるほど低くなるように傾斜している。ガイド翼３７の先端と落下部３２の内壁とは少なくとも遊技球の直径以上の間隔が確保されている。
【００５１】
このようにすることにより、落下部３２の内部を落下する遊技球をガイド翼３７に衝突させ、ガイド翼３７上を流下させることができる。ガイド翼３７上を流下した遊技球は、案内翼３４ｃ上に遊技球を落下させられる。また、ガイド翼３７に落下しない遊技球は、直接、案内翼３４ｃ上に落下する。いずれにしても、遊技球を案内翼３４ｃ上に落下させることができ、遊技球を上皿通路３４に案内することができる。上皿通路３４に案内された遊技球は上皿通路３４を流下し、上皿放出部３４ａと穴１４ｂを経由して上皿１４に放出される。
【００５２】
図７は、上皿放出部３４ａから放出される遊技球の様子を上方から見て示している。同図において、ガラス枠１３や本体枠１２等から構成される本体部から前面側に向かって上皿１４が突設されており、同上皿１４の内部に遊技球が放出されている。上皿通路３４の内部において遊技球は背面側に向かって流下するため、上皿放出部３４ａを背面側に向かって通過する遊技球は、そのまま背面側に向かって放出されることとなる。放出された遊技球は上皿１４の底面に沿って背面側に進行し、上皿１４の背面側の壁面１４ｄに到達する。壁面１４ｄには略板状の衝突部６０が取り付けられており、放出された遊技球は衝突部６０に衝突する。衝突部６０は衝撃吸収素材で形成されており緩衝機構を構成する。すなわち、衝撃吸収素材としてウレタンやゴム等といった変形可能な素材を適用することによって、衝突部６０の変形によって遊技球の衝撃を吸収することができる。
【００５３】
このように衝突部６０にて遊技球の衝撃を吸収することにより、壁面１４ｄが破損することが防止できる。また、衝突部６０に衝突することにより、遊技球が衝突部６０にて反射し、勢いが弱められる。従って、遊技球が上皿１４からこぼれ落ちることが防止できる。衝突部６０に衝突した遊技球は、前面側に向かって跳ね返されるが、勢いが弱められているため、右側が低くなるように傾斜する上皿１４の底面に沿って右側に進行することとなる。なお、衝突部６０に衝突した遊技球が勢いよく反射しないように、衝突部６０を構成する衝撃吸収素材を低反発素材としておくことが好ましい。例えば、気孔を多数有するスポンジ素材を適用することにより、反射の勢いを弱めることができる。
【００５４】
遊技球の放出方向を背面側に向かう方向とし、パチンコ遊技機１０の本体部に向かって遊技球を衝突させることにより、パチンコ遊技機１０の前面側に位置する遊技者から離反する方向に遊技球が放出されるため、遊技者は安全に遊技を行うことができる。また、真っ直ぐ遊技球を背面側に放出することにより、上皿１４の側方に遊技球がこぼれ落ちることもない。さらに、パチンコ遊技機１０の本体部は広大な壁面を構成するため、上皿放出部３４ａから放出された遊技球をパチンコ遊技機１０の本体部と確実に衝突させ、遊技球の勢いを弱めることができる。
【００５５】
上述したとおり、上皿放出部３４ａから放出された遊技球は原則的に衝突部６０に衝突するが、仮に他の遊技球との衝突等によって進行方向が変動した場合でも、パチンコ遊技機１０の本体部の前面壁面は広大であるため、同前面壁面のいずれかの部位にて遊技球を衝突させることができる。上皿１４の底面に沿って右側に進行した遊技球は貯留され、同貯留された遊技球は発射機構１６ａによって遊技領域に発射される。従って、前面通路３０を流通した遊技球を遊技に使用することが可能となる
【００５６】
図８は、上皿１４の内部を斜めから見て示している。同図において、壁面１４ｄに対して衝突部６０はネジ６１，６１によってネジ止め固定されている。このように、衝突部６０を壁面１４ｄと別部材として形成し、ネジ止め等によって着脱可能とすることにより、衝突部６０の交換を容易に行うことができる。従って、多数の遊技球の衝突によって衝突部６０の緩衝機能が低下したり、汚れが目立つようになったりした場合には、新しい衝突部６０に取り替えることができる。なお、ネジ６１，６１に遊技球が衝突して、緩衝機能が発揮されないことがないように、ネジ６１，６１は上皿１４の底面からも十分に高い位置に螺合されている。
【００５７】
図９は、上皿１４において貯留された遊技球が満杯となる状態を示している。同図において、満杯状態となった遊技球が上皿通路３４や案内翼３４ｃ上にも滞留している。この状態において、案内翼３４ｃ上に遊技球が落下すると、案内翼３４ｃ上に滞留した遊技球に、落下した遊技球が衝突し跳ね返されることとなる。跳ね返された遊技球は案内翼３４ｃから落下し、さらに落下部３２の内部を下方に落下することとなる。そして、案内翼３４ｃから落下した遊技球は、最終的に下皿通路３５を経由して下皿１５に放出される。かかる構成により、上皿１４に貯留された遊技球が満杯状態のときのみ遊技球を下皿１５に排出することが可能となっている。
【００５８】
図１０は、下皿通路３５および下皿１５を上方から見て示している。同図において、本体枠１２から前面側に向かって下皿１５が突設されており、同下皿１５の内部に遊技球が放出されている。下皿通路３５は上皿通路３４と同様に通路方向を前後に配向させており、背面側が低くなるように傾斜している。従って、下皿通路３５の内部を遊技球は背面側に向かって進行する。下皿通路３５の背面側端部を開口させることにより、下皿放出部３５ａが設けられている。
【００５９】
下皿通路３５の内部を背面側に向かって流下した遊技球は、そのまま下皿放出部３５ａを通過し背面側に向かって放出されることとなる。放出された遊技球は、下皿１５の背面側の壁面１５ｄに到達する。壁面１５ｄにも略板状の衝突部７０が取り付けられており、放出された遊技球は衝突部７０に衝突する。衝突部７０においても遊技球の衝撃を吸収することができる。衝突部７０に衝突した遊技球は下皿１５に貯留される。なお、衝突部７０は、衝突部６０と同様に下皿１５に対して着脱可能とされている。
【００６０】
（２）第二の実施形態：
図１１は、第二の実施形態にかかるパチンコ遊技機１１０を斜めから見て示している。同図において、前面通路１３０はガラス枠１１３の下端付近の高さにて終端している。また、前面通路１３０は前方に突出するようにガラス枠１１３に取り付けられており、前実施形態と同様に延設部１３１と落下部１３２とを有している。落下部１３２の下端を背面側に向かって延設することにより、通路方向を前後に配向させる上皿通路１３４が形成されている。上皿通路１３４の背面側端部を開口させることにより、上皿放出部１３４ａが設けられている。このようにすることにより、上皿放出部１３４ａから背面側に向かって遊技球を放出することができる。
【００６１】
図１２は、上皿通路１３４および上皿１４の断面を見て示している。同図において、前面通路１３０は上皿１１４の底面から上方に浮いた状態とされており、上皿放出部１３４ａから遊技球が背面側に向かって空中に放出される。空中を進行した遊技球は徐々に下降しつつ、壁面１１４ｄにおける上皿放出部１３４ａよりもやや低い位置に取り付けられた衝突部１６０に対して衝突する。衝突部１６０は前実施形態と同様に衝撃吸収素材で形成されているため、衝突した遊技球の勢いを弱め、上皿１１４の底面に遊技球を落下させることができる。
【００６２】
図１３は、上皿１１４において貯留された遊技球が満杯となる状態を示している。同図において、上皿１１４の内部において遊技球が所定の高さまで貯留されている。上皿１１４の壁面１１４ｄにおける衝突部１６０の下方には溢れ口１５２が設けられている。溢れ口１５２は本体枠１１２の内部に埋設されたオーバーフロー通路１５３と連通しており、溢れ口１５２からオーバーフロー通路１５３に遊技球を案内することが可能となっている。図１１に示すように下皿１１５の壁面１１５ｄには下皿出口１５４が設けられており、オーバーフロー通路１５３は下皿出口１５４と連通している。従って、溢れ口１５２からオーバーフロー通路１５３に案内された遊技球を下皿１１５に排出することが可能となっている。  
【００６３】
溢れ口１５２の奥方には所定の高さの制限部１５２ａが突設されており、制限部１５２ａがオーバーフロー通路１５３に流れ込もうとする遊技球を阻害する。しかし、制限部１５２ａの高さよりも高い位置に遊技球が貯留された場合、遊技球は制限部１５２ａを乗り越えてオーバーフロー通路１５３に流れ込むことが可能となっている。このように、上皿１４から下皿１５に遊技球を流れ込ませるために必要な遊技球の貯留量は制限部１５２ａによって規定されており、制限部１５２ａの高さまで遊技球が貯留されたとき、上皿１４は満杯状態となり下皿１５に遊技球を退避させている。
【００６４】
衝突部１６０は制限部１５２ａよりも少なくとも遊技球の直径以上高い位置に取り付けられているため、上皿１４が満杯状態になっても衝突部１６０の前面側に遊技球が滞留することはない。従って、上皿放出部１３４ａから放出された遊技球を滞留した遊技球に阻害されることなく衝突部１６０に直接衝突させることができる。すなわち、滞留した遊技球との衝突によって遊技球の進路が変動せず、確実に衝突部１６０に遊技球を衝突させることができる。従って、衝突部１６０の緩衝機能を確実に発揮させることができる。
【００６５】
図１４は、上皿放出部１３４ａを斜めから見て示している。同図において、上皿放出部１３４ａは背面側に開口しており、内部に整流スリット１３４ａ１を備えている。上皿通路１３４の底面は平面状に形成されており、整流スリット１３４ａ１は、遊技球の直径よりも幅が広く断面略コの字状のスリットの先端を同底面に略密着させている。整流スリット１３４ａ１は上皿通路１３４に回動軸１３４ａ２を介して連結されており、回動軸１３４ａ２まわりに回動することが可能となっている。回動軸１３４ａ２は上皿通路１３４の外側に突出しており、同突出部からレバー１３４ａ３が径方向外側に延設されている。
【００６６】
図１５は、上皿放出部１３４ａの断面を示しいる。同図において、上皿通路１３４の底面に対して平行な断面を示しており、整流スリット１３４ａ１の断面が示されている。整流スリット１３４ａ１よりも上流部位には３枚のガイド壁１３４ａ４，１３４ａ４，１３４ａ４が上方に向けて突設されており、整流スリット１３４ａ１を構成する各スリットに遊技球を案内することが可能となっている。このようにすることにより、前面通路を流下した遊技球の勢いを減衰させることなく、各スリットに遊技球を案内することができる。
【００６７】
上述したとおり整流スリット１３４ａ１は回動することができるため、各スリットに案内された遊技球は各スリットの側壁面に衝突しつつ、整流スリット１３４ａ１の回動に応じた方向に遊技球を整流される。そして、整流スリット１３４ａ１を通過したときの進行方向に遊技球を上皿放出部１３４ａから放出することができる。すなわち、上皿放出部１３４ａから放出される遊技球の方向を整流スリット１３４ａ１によって調整することが可能となっている。これにより、遊技球が確実に衝突部１６０に衝突するように調整を行うことができる。
【００６８】
（３）第三の実施形態：
図１６は、第三の実施形態にかかる上皿放出部２３４ａを斜めから見て示している。同図において、前実施形態と同様に断面略コの字状のスリットを有する整流スリット２３４ａ１が備えられている。整流スリット２３４ａ１の回動軸２３４ａ２はモータ２３４ａ３に接続されており、モータ２３４ａ３の回動に応じて整流スリット２３４ａ１の回動が可能となっている。モータ２３４ａ３に電源を供給する配線２３４ａ５が前面通路２３０の内側に沿うように取り付けられている。前面通路２３０が上端部にてパチンコ遊技機の本体部と接続することにより、配線２３４ａ５も同本体部の配線と接続している。
【００６９】
配線２３４ａ５は本体部に備えられた制御基板と接続されており、同制御基板から所定周期の交流電源が供給されている。従って、モータ２３４ａ３は回動軸２３４ａ２を順方向と逆方向とに交互に回動させることが可能となっている。このようにすることにより、上皿放出部２３４ａから放出する遊技球の進行方向を経時的に変動させることができる。従って、上皿放出部２３４ａから放出された遊技球が衝突する部位が一箇所に集中することが防止でき、衝突部の劣化や汚染を軽減することができる。また、衝突部にて跳ね返される遊技球の進行方向も徐々に変化させることができるため、衝突部に衝突し上皿１４の底面に落下した遊技球が一箇所に集中して滞留することが防止できる。
【００７０】
（４）第四の実施形態：
図１７は、第四の実施形態にかかる上皿通路および上皿の断面を見て示している。前面通路３３０および上皿通路３３４および上皿３１４は第一の実施形態とほぼ同様の構成とされている。ただし、上皿通路３３４の底面には凹凸３３４ｂが形成されており、同凹凸３３４ｂ上を遊技球が通過する。このように、凹凸３３４ｂ上に遊技球を通過させることにより、上皿通路３３４を流下する遊技球の速度を低減させることができる。すなわち、凹凸３３４ｂは本発明にいう速度低減機構に相当する。上皿放出部２３４ａから放出される遊技球の速度が低下させられるため、背面側に放出された遊技球をゆるやかに上皿３１４の背面側の壁面３１４ｄに衝突させることができる。
【００７１】
壁面３１４ｄにおいて遊技球が衝突する衝突部には断面略コの字状の溝３６０が形成されている。溝３６０の高さおよび深さは遊技球の直径よりも大きく形成されている。また、上皿３１４の底面と溝３６０の底面とが接続しているため、上皿３１４の底面に沿って背面側に進行する遊技球を溝３６０の内部に侵入させることが可能となっている。溝３６０の内部に侵入した遊技球は溝３６０を構成する三方いずれかの壁面に衝突して跳ね返される。跳ね返されて進行方向が変化した遊技球はさらに別の壁面に衝突して、跳ね返される。
【００７２】
すなわち、遊技球を溝３６０に侵入させることにより、同溝３６０の内部にて遊技球を乱反射させることができる。遊技球の勢いは跳ね返される毎に減衰させられるため、最終的に遊技球の勢いを消失させることができる。溝３６０の底面は前面側が低くなるように形成されているため、溝３６０にて勢いが失われた遊技球を溝３６０の外側に排出することができる。溝３６０の外側に排出された遊技球は上皿３１４にて貯留することができる。
【００７３】
また、図１８に示すように上皿３１４の背面側の壁面３１４ｄを全体的に背面側に向かって凹ませても良い。このようにすることにより、遊技球が進行する背面側方向に上皿３１４を広く形成することができる。このように、上皿３１４を背面側に深く形成することにより、遊技球が上皿放出部２３４ａから放出されから壁面３１４ｄに衝突するまでの距離を長く確保することができるため、遊技球が壁面３１４ｄに衝突する際の衝撃を緩和することができる。これにより、壁面３１４ｄの破損を防止するとともに、遊技球が上皿３１４からこぼれ落ちることを防止することができる。
【００７４】
（５）第五の実施形態：
図１９は、下皿通路および下皿を上方から見て示している。同図において、略板状に形成された衝突部４６０は上皿４１４の背面側の壁面４１４ｄより所定量前方に取り付けられている。衝突部４６０の幅方向略中央部には高さ方向に貫通する穴が形成されており、同穴を上方から貫通させつつネジ４６１が上皿４１４の底面に螺合されている。ネジ４６１を緩めると衝突部４６０は回動可能となり、ネジ４６１まわりの回転角度を調整することが可能となる。一方、ネジ４６１を強く締め付ける衝突部４６０は回動不能となり固定することができる。すなわち、本実施形態においては衝突部４６０の角度を調整することが可能となっており、衝突部４６０にて跳ね返された遊技球の進行方向を所望の方向に調整することができる。なお、衝突部４６０の回動軸にモータを取り付ける等して、衝突部４６０の角度が経時的に変動するようにしてもよい。このよすれば、跳ね返された遊技球が一箇所に集中することが防止できる。
【００７５】
（６）第六の実施形態：
図２０は、第六の実施形態にかかる上皿の内部を斜めから見て示している。同図において、上皿５１４の背面側の壁面５１４ｄに衝突部５６０が取り付けられており、その上方に照明装置５７０が取り付けられている。照明装置５７０は内部にＬＥＤを備えており、発光することが可能となっている。衝突部５６０は矩形枠状に形成された筐体５６１と、同筐体５６１の内側に保持された略板状の押し込み部５６２を有しており、押し込み部５６２が前面側に露出するように取り付けられている。押し込み部５６２は上皿放出部から放出された遊技球の軌道上に配置されており、押し込み部に前面通路を流下した遊技球が衝突する。
【００７６】
図２１は、衝突部５６０の断面を示している。同図において、断面略コの字状の筐体５６１の内側に略板状の押し込み部５６２が保持されている。筐体５６１の内側には導電体５６１ａが取り付けられており、押し込み部５６２の内側にも導電体５６２ａが取り付けられている。導電体５６１ａ，５６２ａはそれぞれ直流電源の正／負極と接続している。押し込み部５６２と筐体５６１とが複数のバネ５６３，５６３・・・によって連結されることにより、押し込み部５６２の導電体５６２ａと筐体５６１の導電体５６１ａとが非接触状態となっている。従って、導電体５６１ａ，５６２ａに接続されたＬＥＤ５７１は点灯しない。なお、ＬＥＤ５７１は照明装置５７０に内蔵されるＬＥＤを意味している。
【００７７】
押し込み部５６２には前面通路から放出された遊技球が衝突する。従って、放出された遊技球の勢いによって押し込み部５６２を背面側に押し込むことができる。このとき、導電体５６１ａ，５６２ａは互いに接近し、導通状態となる。従って、導電体５６１ａ，５６２ａに接続されたＬＥＤ５７１を点灯させることができる。すなわち、衝突部５６０は遊技球の衝突に応じて導通状態の切換が可能な衝撃スイッチを備えており、遊技球の衝突に応じて照明装置５７０を点灯させることができる。例えば、遊技球が大量に払い出されているときには、多くの遊技球が押し込み部５６２を背面側に押し込むため、照明装置５７０を点灯回数が多くなる。一方、遊技球がまばらに払い出されているときには、遊技球が押し込み部５６２を背面側に押し込む頻度が少ないため、照明装置５７０を点灯回数が少なくなる。このような照明装置５７０によれば上皿５１４の装飾効果を向上されるとともに、遊技球の払い出し状況を遊技者に実感させることができる。
【００７８】
図２２のように照明装置５７０の代わりにスピーカ５７０Ａを取り付けるようにしてもよい。スピーカ５７０Ａは所定の電源が供給されることにより所定のブザー音を出力可能な音声装置を内蔵しており、図２１のＬＥＤ５７１と置き換えることにより、遊技球の衝突に応じてブザー音を発することが可能となっている。このようにしても遊技球の払い出し状況を遊技者に実感させることができる。さらに、図２３のように衝撃スイッチにカウンタ表示装置５７０Ｂを接続するようにしてもよい。カウンタ表示装置５７０Ｂは衝突部５６０の導通状態が切り替わる毎に１を加算するカウンタ回路を有しており、同カウンタ回路における計数の結果が表示されるようになっている。カウンタ表示装置５７０Ｂによれば、どれだけの遊技球が払い出されたかを遊技者が数値として認識することができるため、遊技者はこの数値を目安として遊技を行うことができる。
【００７９】
（７）第七の実施形態：
図２４は、第７の実施形態にかかるパチンコ遊技機６１０を正面から見て示している。同図において、パチンコ遊技機６１０の左側に隣接して略矩形箱状の球貸し機６４０が設置されている。球貸し機６４０は前方に突設する排出通路６４５を有しており、同排出通路６４５を介して遊技球を排出することが可能となっている。排出通路６４５は球貸し機６４０に対して回動可能に連結されているため、遊技球を排出する先端部の位置を調整することが可能となっている。パチンコ遊技機６１０の前面側には第一の実施形態と同様に前面通路６３０が突設されており、軸方向を略鉛直方向に配向させる落下部６３２が設けられている。
【００８０】
破線で示すように落下部６３２から背面側に向かって略椀状の導入部６３３が突設されており、同導入部６３３の上方開口の上方に排出通路６４５の先端が位置させられている。導入部６３３は落下部６３２の内部と連通しており、導入部６３３に落下した遊技球を落下部６３２に案内することが可能となっている。このように、前面通路６３０に対して球貸し機６４０からも遊技球が供給されるようにしてもよい。球貸し機６４０から供給された遊技球は破線で示す上皿通路６３４および下皿通路６３５を介してそれぞれ上皿６１４および下皿６１５に供給することができる。図示しないが、上皿６１４および下皿６１５には緩衝機構を有する衝突部が設けられているため、遊技球の勢いを弱めつつ遊技球を捕集することが可能となっている。
【００８１】
（８）第八の実施形態：
図２５は、第八の実施形態にかかる遊技機としてのパチロットを斜めから見て示している。パチロット７１０は、スロットマシンにおけるメダルの代わりに遊技球を利用するものであり、例えば、パチンコ球の５個がメダル１個に相当して遊技を楽しむことができる。パチロット７１０は、スロットマシンと同様に回転するドラム７２５ａを備える遊技領域７２５を有している。このようなパチロット７１０においても遊技媒体として遊技球が使用されるため、遊技状態に応じた遊技球が払い出されることとなる。従って、パチロット７１０の前面側に前面通路７３０を突設することができ、前面通路７３０からそれぞれ上皿通路７３４および下皿通路７３５を介して上皿７１４および下皿７１５に遊技球を背面側に向かって放出することができる。
【００８２】
なお、図２６に示すように、パチロット７１０も外枠７１１と本体枠７１２とを有し、本体枠７１２の前面側にはドラム７２５ａが保持された遊技領域７２５が形成される。本体枠７１２の背面側には遊技球の供給を受けるタンク７１８が設けられている。本体枠７１２には前後に貫通する連絡通路Ａが形成されており、同連絡通路Ａを介してタンク７１８に貯留された遊技球が本体枠７１２の前面側に案内される。本体枠７１２の前面側には操作レバーや操作ボタンが形成された窓枠７１３が取り付けられる。窓枠７１３は本体枠７１２に対して左側の辺を回動軸として回動可能に取り付けられる。窓枠７１３と本体枠７１２とが略平行となるように、窓枠７１３を回動させたとき、窓枠７１３の背面側と本体枠７１２の前面側とが略密着する。
【００８３】
このとき、窓枠７１３の略中央部に形成された矩形状の窓穴７１３ｄからはドラム７２５ａが保持された遊技領域７２５が視認可能となる。また、このとき窓枠７１３に取り付けられた前面通路７３０と連絡通路Ａとが接続し、タンク７１８に貯留された遊技球を前面通路７３０に案内することができる。なお、窓枠７１３をガラス等の透明板によって塞ぐことによりパチロット７１０の遊技領域７２５を閉鎖させてもよいし、本実施形態のように遊技領域７２５を開放させておいてもよい。なお、本実施形態のように前面通路７３０を低い位置から下方に向かって形成するようにしてもよいし、窓枠７１３の回動自由端側に前面通路７３０を形成するようにしてもよい。
【００８４】
（６）まとめ：
以上説明したように本発明によれば、遊技球の放出方向を背面側に向かう方向とし、パチンコ遊技機１０の本体部に向かって遊技球を衝突させることにより、パチンコ遊技機１０の前面側に位置する遊技者から離反する方向に遊技球が放出されるため、遊技者は安全に遊技を行うことができる。また、真っ直ぐ遊技球を背面側に放出することにより、上皿１４の側方に遊技球がこぼれ落ちることもない。さらに、パチンコ遊技機１０の本体部は広大な壁面を構成するため、上皿放出部３４ａから放出された遊技球をパチンコ遊技機１０の本体部と確実に衝突させ、遊技球の勢いを弱めることができる。
【図面の簡単な説明】
【００８５】
【図１】第一の実施形態にかかるパチンコ遊技機の斜視図である。
【図２】第一の実施形態にかかるパチンコ遊技機の側面図である。
【図３】第一の実施形態にかかるパチンコ遊技機の背面図である。
【図４】第一の実施形態にかかる連絡通路の断面図である。
【図５】第一の実施形態にかかるパチンコ遊技機の正面図である。
【図６】第一の実施形態にかかる上皿通路および上皿の断面図である。
【図７】第一の実施形態にかかる上皿の平面図である。
【図８】第一の実施形態にかかる上皿の斜視図である。
【図９】第一の実施形態にかかる上皿通路および上皿の断面図である。
【図１０】第一の実施形態にかかる下皿の平面図である。
【図１１】第二の実施形態にかかるパチンコ遊技機の斜視図である。
【図１２】第二の実施形態にかかる上皿通路および上皿の断面図である。
【図１３】第二の実施形態にかかる上皿通路および上皿の断面図である。
【図１４】第二の実施形態における放出部の斜視図である。
【図１５】第二の実施形態にかかる放出部の断面図である。
【図１６】第三の実施形態にかかる放出部の斜視図である。
【図１７】第四の実施形態にかかる上皿通路および上皿の断面図である。
【図１８】第四の実施形態にかかる上皿通路および上皿の断面図である。
【図１９】第五の実施形態にかかる上皿の平面図である。
【図２０】第六の実施形態にかかる上皿の斜視図である。
【図２１】第六の実施形態にかかる衝突部の断面図である。
【図２２】第六の実施形態にかかる上皿の斜視図である。
【図２３】第六の実施形態にかかる上皿の斜視図である。
【図２４】第七の実施形態にかかるパチンコ遊技機の正面図である。
【図２５】第八の実施形態にかかるパチロットの斜視図である。
【図２６】第八の実施形態にかかるパチロットの分解斜視図である。
【符号の説明】
【００８６】
１０，１１０，６１０…パチンコ遊技機
１１，７１１…外枠
１２，１１２，７１２…本体枠
１３，１１３，７１３…ガラス枠
１３ａ…ガラス
１３ｄ，７１３ｄ…窓穴
１４，１１４，３１４，４１４，５１４，６１４，７１４…上皿
１５，１１５，６１５，７１５…下皿
１６…発射ハンドル
１６ａ…発射機構
１７…機構板
１７ａ…機構板通路
１８，７１８…タンク
１９…払い出し装置
２０…ガイド部材
２１…液晶ユニット
２２…保護カバー
２３…制御ボックス
２４…遊技盤
２５，７２５…遊技領域
３０，１３０，２３０，３３０，６３０，７３０…前面通路
３１，１３１…延設部
３２，１３２，６３２…落下部
３４，１３４，３３４，６３４…上皿通路
３４ａ，１３４ａ，２３４ａ…上皿放出部
３５，６３５…下皿通路
３５ａ…下皿放出部
６０，７０，１６０，４６０，５６０…衝突部
６１…ネジ
１３４ａ１，２３４ａ１…整流スリット
１３４ａ２，２３４ａ２…回動軸
１３４ａ３…レバー
１３４ａ４…ガイド壁
１５２…溢れ口
１５２ａ…制限部
１５３…オーバーフロー通路
１５４…下皿出口
２３４ａ３…モータ
２３４ａ５…配線
３３４ｂ…凹凸
３６０…溝
５６１ａ，５６２ａ…導電体
５６２…押し込み部
５７０…照明装置
５７０Ａ…スピーカ
５７０Ｂ…カウンタ表示装置
５７１…ＬＥＤ
６３３…導入部
６４０…球貸し機
６４５…排出通路
７１０…パチロット
７２５ａ…ドラム
Ａ…連絡通路
Ｓ…隙間
【図１】
2006110251.tif 000003
【図２】
2006110251.tif 000004
【図３】
2006110251.tif 000005
【図４】
2006110251.tif 000006
【図５】
2006110251.tif 000007
【図６】
2006110251.tif 000008
【図７】
2006110251.tif 000009
【図８】
2006110251.tif 000010
【図９】
2006110251.tif 000011
【図１０】
2006110251.tif 000012
【図１１】
2006110251.tif 000013
【図１２】
2006110251.tif 000014
【図１３】
2006110251.tif 000015
【図１４】
2006110251.tif 000016
【図１５】
2006110251.tif 000017
【図１６】
2006110251.tif 000018
【図１７】
2006110251.tif 000019
【図１８】
2006110251.tif 000020
【図１９】
2006110251.tif 000021
【図２０】
2006110251.tif 000022
【図２１】
2006110251.tif 000023
【図２２】
2006110251.tif 000024
【図２３】
2006110251.tif 000025
【図２４】
2006110251.tif 000026
【図２５】
2006110251.tif 000027
【図２６】
2006110251.tif 000028